(57)【要約】【課題】より使い勝手を向上させることができる誘導加熱調理器を提供する。【解決手段】本発明に係る誘導加熱調理器は、被加熱物が載置されるトッププレートと、トッププレートの下方に配置され、被加熱物を誘導加熱する複数の加熱コイルと、トッププレートの下方に配置され、検知温度帯域が異なる複数の温度センサと、被加熱物が載置されている載置エリアを検知する被加熱物検知部と、温度センサの検知温度に基づいて、被加熱物検知部が検知した載置エリアに対応する加熱コイルの動作状態を制御する加熱制御部と、操作部とを備える。加熱制御部は、被加熱物検知部が検知した載置エリアの下方に位置する温度センサを認識し、当該認識した温度センサに応じて予め設定された情報を操作部に表示する。【選択図】図１０
2018037235.tif 000002
【特許請求の範囲】
【請求項１】
被加熱物が載置されるトッププレートと、
前記トッププレートの下方に配置され、前記被加熱物を誘導加熱する複数の加熱コイルと、
前記トッププレートの下方に配置され、特性が異なる複数の温度センサと、
前記被加熱物が載置されている載置エリアを検知する被加熱物検知部と、
前記温度センサの検知温度に基づいて、前記被加熱物検知部が検知した載置エリアに対応する加熱コイルの動作状態を制御する加熱制御部と、
操作部と、
を備え、
前記加熱制御部は、前記被加熱物検知部が検知した載置エリアの下方に位置する温度センサを認識し、当該認識した温度センサに応じて予め設定された情報を前記操作部に表示する、誘導加熱調理器。
【請求項２】
前記加熱制御部は、前記予め設定された情報として、前記載置エリアを示すエリア識別情報に前記認識した温度センサを示すセンサ識別情報を付加して前記操作部に表示する、請求項１に記載の誘導加熱調理器。
【請求項３】
前記加熱制御部は、前記エリア識別情報が選択されたとき、前記認識した温度センサに応じて予め設定された加熱メニューを前記操作部に表示する、請求項２に記載の誘導加熱調理器。
【請求項４】
前記加熱制御部は、前記予め設定された情報として、前記載置エリアを示すエリア識別情報を前記操作部に表示し、前記エリア識別情報が選択されたとき、前記認識した温度センサに応じて予め設定された加熱メニューを前記操作部に表示する、請求項１に記載の誘導加熱調理器。
【請求項５】
前記複数の温度センサは、検知温度帯域がそれぞれ異なる、請求項１〜４のいずれか１つに記載の誘導加熱調理器。
【請求項６】
前記複数の温度センサは、検知温度帯域の下限値がそれぞれ異なる、請求項５に記載の誘導加熱調理器。
【請求項７】
前記複数の温度センサは、検知温度帯域の下限値が低い低温温度センサと、検知温度帯域の下限値が高い高温温度センサとを有し、
前記加熱制御部は、前記被加熱物検知部が検知した載置エリアの下方に前記低温温度センサと前記高温温度センサの両方が位置すると認識した場合、前記高温温度センサによって検知可能なエリアの面積に対する前記低温温度センサによって検知可能なエリアの面積の割合に基づいて、前記高温温度センサ又は前記低温温度センサのいずれか一方を前記載置エリアの下方に位置する温度センサとして認識し、当該認識した温度センサに応じて予め設定された情報を前記操作部に表示する、請求項６に記載の誘導加熱調理器。
【請求項８】
前記加熱制御部は、少なくとも前記被加熱物検知部が検知した載置エリアを示すエリア識別情報を前記操作部に表示し、
前記操作部は、前記エリア識別情報を手動で変更可能に構成されている、
請求項１〜７のいずれか１つに記載の誘導加熱調理器。
【請求項９】
前記操作部は、前記予め設定された情報をアイコンとして表示する、請求項１〜８のいずれか１つに記載の誘導加熱調理器。
【発明の詳細な説明】
【技術分野】
【０００１】
本発明は、トッププレート上に載置された金属製の調理用鍋などの被加熱物を複数の加熱コイルで誘導加熱可能な誘導加熱調理器に関する。
【背景技術】
【０００２】
従来、誘導加熱調理器として、一般的に、１つの被加熱物に対して１つの加熱コイルで誘導加熱する構成が知られている。
【０００３】
これに対して、被加熱物を載置するトッププレートの下方に複数の加熱コイルを敷き詰めて配置し、１つの被加熱物に対して複数の加熱コイルで誘導加熱可能に構成されたマルチコイル構造を有する誘導加熱調理器が提案されている。この誘導加熱調理器によれば、被加熱物がどのような大きさであっても、トッププレート上のいずれの位置に載置されても、被加熱物の大きさ及び載置位置に対応する加熱コイルを動作させることで、被加熱物を誘導加熱することができる。
【０００４】
マルチコイル構造を有する誘導加熱調理器として、例えば、特許文献１（特開２０１４−４４８５２号公報）に開示されたものがある。特許文献１の誘導加熱調理器は、複数の加熱コイルと、調理容器が加熱コイル上に載置されているかどうかを判定する調理容器検出部と、操作部とを備えている。調理容器検出部の判定結果は、操作部の載置状況表示エリアにアイコンとして表示される。当該アイコンが選択されることによって、操作部の操作エリアに操作パネルが表示される。当該操作パネルが選択されることによって、アイコンに対応する調理容器を加熱するように加熱コイルが動作する。
【先行技術文献】
【特許文献】
【０００５】
【特許文献１】特開２０１４−４４８５２号公報
【発明の概要】
【発明が解決しようとする課題】
【０００６】
しかしながら、特許文献１のような従来の誘導加熱調理器によれば、より使い勝手を向上させる観点において、未だ改善の余地がある。
【０００７】
従って、本発明の目的は、前記課題を解決することにあって、より使い勝手を向上させることができる誘導加熱調理器を提供することにある。
【課題を解決するための手段】
【０００８】
前記目的を達成するために、本発明に係る誘導加熱調理器は、
被加熱物が載置されるトッププレートと、
前記トッププレートの下方に配置され、前記被加熱物を誘導加熱する複数の加熱コイルと、
前記トッププレートの下方に配置され、検知温度帯域が異なる複数の温度センサと、
前記被加熱物が載置されている載置エリアを検知する被加熱物検知部と、
前記被加熱物検知部が検知した載置エリアに対応する加熱コイルの動作状態を制御する加熱制御部と、
操作部と、
を備え、
前記加熱制御部は、前記被加熱物検知部が検知した載置エリアの下方に位置する温度センサを認識し、当該認識した温度センサに応じて予め設定された情報を前記操作部に表示するように構成されている。
【発明の効果】
【０００９】
本発明に係る誘導加熱調理器によれば、より使い勝手を向上させることができる。
【図面の簡単な説明】
【００１０】
【図１】本発明の実施形態に係る誘導加熱調理器の分解斜視図である。
【図２】本発明の実施形態に係る誘導加熱調理器のブロック図である。
【図３】本発明の実施形態に係る誘導加熱調理器からトッププレートを取り外した状態を示す平面図である。
【図４】図３において、被加熱物がトッププレートの左後方に載置されているときの載置エリアを点線で示した図である。
【図５】被加熱物検知部が検知した載置エリアが図４の点線で示すエリアであるときに、操作部に表示されるエリア識別情報の一例を示す図である。
【図６】低温温度センサに応じて予め設定された加熱メニューとして、”Ａｓｓｉｓｔ  ｍｅｎｕ”（アシストメニュー）が操作部に表示された状態を示す図である。
【図７】図３において、被加熱物がトッププレートの右後方に載置されているときの載置エリアを点線で示した図である。
【図８】被加熱物検知部が検知した載置エリアが図７の点線で示すエリアであるときに、操作部に表示されるエリア識別情報の一例を示す図である。
【図９】高温温度センサに応じて予め設定された加熱メニューとして、”Ａｓｓｉｓｔ  ｍｅｎｕ”（アシストメニュー）が操作部に表示された状態を示す図である。
【図１０】操作部に表示されるエリア識別情報にセンサ識別情報を付加した表示例を示す図である。
【発明を実施するための形態】
【００１１】
（本発明の基礎となった知見）
本発明者らは、より使い勝手を向上させるため、鋭意検討した結果、以下の知見を得た。
【００１２】
従来の誘導加熱調理器においては、被加熱物の温度を検知する温度センサを備え、当該温度センサの検知温度に基づいて、被加熱物が所望の温度になるように加熱コイルの動作を制御するように構成されている。
【００１３】
本発明者らは、マルチコイル構造を有する誘導加熱調理器において、複数の温度センサを設けた場合には、被加熱物がトッププレート上のいずれの位置に載置されても被加熱物の温度を検知することが可能になり、より使い勝手を向上できることを見出した。
【００１４】
しかしながら、これらの全ての温度センサに、検知温度帯域が広い高性能な温度センサを用いることは、コスト等の観点から実質的には困難である。
【００１５】
そこで、本発明者らは、鋭意検討した結果、検知温度帯域が異なる複数の温度センサを用い、被加熱物の下方に位置する温度センサに応じて操作部に表示する情報を異ならせる構成を想到した。この構成によれば、検知温度帯域が異なる複数の温度センサを用いた場合であっても、操作部の表示を確認することで、被加熱物の下方にどの温度センサが位置するか認識することができる。これにより、被加熱物がトッププレート上のいずれの位置に載置された場合であっても、当該被加熱物の下方に位置する温度センサを認識して、当該温度センサに応じた加熱メニューを実行することが可能になる。従って、より使い勝手を向上させることができる。
【００１６】
これらの新規な知見に基づき、本発明者らは、以下の発明に至った。
【００１７】
本発明の第１態様によれば、被加熱物が載置されるトッププレートと、
前記トッププレートの下方に配置され、前記被加熱物を誘導加熱する複数の加熱コイルと、
前記トッププレートの下方に配置され、特性が異なる複数の温度センサと、
前記被加熱物が載置されている載置エリアを検知する被加熱物検知部と、
前記温度センサの検知温度に基づいて、前記被加熱物検知部が検知した載置エリアに対応する加熱コイルの動作状態を制御する加熱制御部と、
操作部と、
を備え、
前記加熱制御部は、前記被加熱物検知部が検知した載置エリアの下方に位置する温度センサを認識し、当該認識した温度センサに応じて予め設定された情報を前記操作部に表示する、誘導加熱調理器を提供する。
【００１８】
本発明の第２態様によれば、前記加熱制御部は、前記予め設定された情報として、前記載置エリアを示すエリア識別情報に前記認識した温度センサを示すセンサ識別情報を付加して前記操作部に表示する、第１態様に記載の誘導加熱調理器を提供する。
【００１９】
本発明の第３態様によれば、前記加熱制御部は、前記エリア識別情報が選択されたとき、前記認識した温度センサに応じて予め設定された加熱メニューを前記操作部に表示する、第２態様に記載の誘導加熱調理器を提供する。
【００２０】
本発明の第４態様によれば、前記加熱制御部は、前記予め設定された情報として、前記載置エリアを示すエリア識別情報を前記操作部に表示し、前記エリア識別情報が選択されたとき、前記認識した温度センサに応じて予め設定された加熱メニューを前記操作部に表示する、第１態様に記載の誘導加熱調理器を提供する。
【００２１】
本発明の第５態様によれば、前記複数の温度センサは、検知温度帯域がそれぞれ異なる、第１〜４態様のいずれか１つに記載の誘導加熱調理器を提供する。
【００２２】
本発明の第６態様によれば、前記複数の温度センサは、検知温度帯域の下限値がそれぞれ異なる、第５態様に記載の誘導加熱調理器を提供する。
【００２３】
本発明の第７態様によれば、前記複数の温度センサは、検知温度帯域の下限値が低い低温温度センサと、検知温度帯域の下限値が高い高温温度センサとを有し、
前記加熱制御部は、前記被加熱物検知部が検知した載置エリアの下方に前記低温温度センサと前記高温温度センサの両方が位置すると認識した場合、前記高温温度センサによって検知可能なエリアの面積に対する前記低温温度センサによって検知可能なエリアの面積の割合に基づいて、前記高温温度センサ又は前記低温温度センサのいずれか一方を前記載置エリアの下方に位置する温度センサとして認識し、当該認識した温度センサに応じて予め設定された情報を前記操作部に表示する、第６態様に記載の誘導加熱調理器を提供する。
【００２４】
本発明の第８態様によれば、前記加熱制御部は、少なくとも前記被加熱物検知部が検知した載置エリアを示すエリア識別情報を前記操作部に表示し、
前記操作部は、前記エリア識別情報を手動で変更可能に構成されている、
第１〜７態様のいずれか１つに記載の誘導加熱調理器を提供する。
【００２５】
本発明の第９態様によれば、前記操作部は、前記予め設定された情報をアイコンとして表示する、第１〜８態様のいずれか１つに記載の誘導加熱調理器を提供する。
【００２６】
以下、本発明の実施形態について、図面を参照しながら説明する。なお、この実施形態によって本発明が限定されるものではない。
【００２７】
また、以下では、説明の便宜上、通常使用時の状態を想定して「上」、「下」、「横」、「前」、「後」等の方向を示す用語を用いるが、本発明の誘導加熱調理器の使用状態等を限定することを意味するものではない。
【００２８】
《実施形態》
図１は、本発明の実施形態に係る誘導加熱調理器の分解斜視図である。
【００２９】
図１に示すように、本実施形態に係る誘導加熱調理器は、上面が開口する筐体１と、筐体１の上面開口を覆うトッププレート２とを備えている。
【００３０】
トッププレート２は、例えば、ガラスで構成される平板状の部材である。トッププレート２の上面には、金属製の調理用鍋、フライパン、ケトルなどの被加熱物３が載置される。また、トッププレート２の上面の前方中央部には、透明な操作窓部２Ａが設けられている。
【００３１】
トッププレート２の下方で且つ筐体１の内部には、複数の被加熱物３を誘導加熱する複数の加熱コイル４が設けられている。各加熱コイル４は、取付板５Ａ〜５Ｃに取り付けられている。本実施形態において、筐体１の内部には、３枚の取付板５Ａ〜５Ｃが設けられている。取付板５Ａ〜５Ｃは、矩形形状を有している。
【００３２】
取付板５Ａ，５Ｃは、筐体１の両側部に設けられ、短手方向が横方向Ｘに沿うとともに、長手方向が前後方向Ｙに沿うように配置されている。これらの取付板５Ａ，５Ｃには、４つの加熱コイル４が取り付けられている。各加熱コイル４は、横方向Ｘを長軸とし、前後方向Ｙを短軸とする楕円形状を有している。また、各加熱コイル４は、前後方向Ｙに並列に配置されている。横方向Ｘと前後方向Ｙと高さ方向Ｚとは、互いに直交している。
【００３３】
取付板５Ｂは、取付板５Ａと取付板５Ｃとの間で且つ操作窓部２Ａよりも後方に設けられ、短手方向が前後方向Ｙに沿うとともに、長手方向が横方向Ｘに沿うように配置されている。取付板５Ｂには、３つの加熱コイル４が取り付けられている。各加熱コイル４は、横方向Ｘを短軸とし、前後方向Ｙを長軸とする楕円形状を有している。また、各加熱コイル４は、横方向Ｘに並列に配置されている。
【００３４】
図２は、本実施形態に係る誘導加熱調理器のブロック図である。図３は、本実施形態に係る誘導加熱調理器からトッププレート２を取り外した状態を示す平面図である。
【００３５】
図２に示すように、筐体１の内部には、温度センサ６と、被加熱物検知部７と、加熱制御部８と、操作部９とが設けられている。
【００３６】
温度センサ６は、トッププレート２の下方に複数配置されている。複数の温度センサ６には、図３に示すように、互いに検知温度帯域が異なる低温温度センサ６ａと高温温度センサ６Ｂとが含まれる。本実施形態において、低温温度センサ６Ａと高温温度センサ６Ｂとは、検知温度帯域の下限値がそれぞれ異なる温度センサである。すなわち、低温温度センサ６Ａは、検知温度帯域の下限値が低い温度センサであり、高温温度センサ６Ｂは、検知温度帯域の下限値が高い温度センサである。低温温度センサ６Ａの検知温度帯域は、例えば、７０度〜３００度である。高温温度センサ６Ｂの検知温度帯域は、例えば、１４０度〜３００度である。
【００３７】
低温温度センサ６Ａは、取付板５Ａ上において互いに隣接する加熱コイル４、４の間に配置されている。高温温度センサ６Ｂは、取付板５Ｂ，５Ｃ上において互いに隣接する加熱コイル４、４の間に配置されている。
【００３８】
被加熱物検知部７は、被加熱物３が載置されている載置エリアを検知するように構成されている。被加熱物検知部７は、例えば、加熱制御部８に含まれるインバータ回路（図示せず）から加熱コイル４に高周波電流が供給されたときのインバータ回路の応答などから検知することにより載置エリアを検知するように構成されている。なお、被加熱物検知部７は、検知用のコイルを備え、インダクタンスの変化を検知することにより載置エリアを検知するように構成されてもよい。また、被加熱物検知部７は、電極を備え、被加熱物３との静電容量の変化を検知することにより載置エリアを検知するように構成されてもよい。
【００３９】
加熱制御部８は、温度センサ６の検知温度に基づいて、被加熱物検知部７が検知した載置エリアに対応する加熱コイル４の動作状態を制御する。例えば、被加熱物３が載置されている載置エリアが、図４において点線で囲まれたエリアＥ１である場合、当該エリアＥ１に対応する加熱コイル４は、取付板５Ａ上の３つの加熱コイル４と、取付板５Ｂ上の左側の加熱コイル４である。加熱制御部８は、温度センサ６の検知温度に基づいて、これら４つの加熱コイル４の動作状態を制御する。
【００４０】
また、加熱制御部８は、被加熱物検知部７が検知した載置エリアの下方に位置する温度センサ６を認識し、当該認識した温度センサ６に応じて予め設定された情報を操作部９に表示する。本実施形態において、「予め設定された情報」とは、前記認識した温度センサ６に応じて予め設定された加熱メニューである。操作部９は、トッププレート２の操作窓部２Ａの下方に配置されている。
【００４１】
図５は、被加熱物検知部７が検知した載置エリアがエリアＥ１であるときに操作部９に表示されるエリア識別情報の一例を示す図である。なお、図５において、白点は、温度センサ６の位置に対応している。
【００４２】
本実施形態において、操作部９は、タッチパネル型の表示装置を備えている。操作部９は、図５に示すように、トッププレート２の上面を相似的に縮小した載置状況表示エリア９Ａを有している。被加熱物検知部７が検知した載置エリアがエリアＥ１であるとき、加熱制御部８は、エリアＥ１の下方に位置する温度センサ６として、取付板５Ａ上の低温温度センサ６Ａを認識する。また、このとき、加熱制御部８は、エリア識別情報の一例として矩形のアイコンＡ１を操作部９に表示する。
【００４３】
エリアＥ１に載置した被加熱物３を加熱するために、アイコンＡ１が選択（押圧）されたとき、低温温度センサ６Ａに応じて予め設定された加熱メニューを操作部９に表示する。「予め設定された加熱メニュー」とは、例えば、低温温度センサ６Ａを用いて適切に被加熱物３を加熱可能な加熱メニューである。
【００４４】
図６は、低温温度センサ６Ａに応じて予め設定された加熱メニューとして、”Ａｓｓｉｓｔ  ｍｅｎｕ”（アシストメニュー）が操作部９に表示された状態を示す図である。図６に示すように、操作部９には、アシストメニューとして、例えば、”Ｅｇｇ，  ｂｏｉｌｉｎｇ”（卵、ボイル）、”Ｅｇｇ，  ｆｉｒｅｄ”（卵、フライ）、”Ｅｇｇ，  ｐｏａｃｈｉｎｇ”（卵、ポーチ）、“Ｅｇｇ，  ｓｃｒａｍｂｌｅｄ”（卵、スクランブル）が表示される。
【００４５】
また、被加熱物３が載置されている載置エリアが、図７において点線で囲まれたエリアＥ２である場合、エリアＥ２に対応する加熱コイル４は、取付板５Ｃ上の３つの加熱コイル４と、取付板５Ｂ上の右側の加熱コイル４である。
【００４６】
図８は、被加熱物検知部７が検知した載置エリアがエリアＥ２であるときに操作部９に表示されるエリア識別情報の一例を示す図である。
【００４７】
被加熱物検知部７が検知した載置エリアがエリアＥ２であるとき、加熱制御部８は、エリアＥ２の下方に位置する温度センサ６として、取付板５Ｃ上の高温温度センサ６Ｂを認識する。また、このとき、加熱制御部８は、エリア識別情報の一例として矩形のアイコンＡ２を操作部９に表示する。
【００４８】
エリアＥ２に載置した被加熱物３を加熱するために、アイコンＡ２が選択（押圧）されたとき、高温温度センサ６Ｂに応じて予め設定された加熱メニューを操作部９に表示する。「予め設定された加熱メニュー」とは、例えば、高温温度センサ６Ｂを用いて適切に被加熱物３を加熱可能な加熱メニューである。
【００４９】
図９は、高温温度センサ６Ｂに応じて予め設定された加熱メニューとして”Ａｓｓｉｓｔ  ｍｅｎｕ”（アシストメニュー）が操作部９に表示された状態を示す図である。図９に示すように、操作部９には、アシストメニューとして、例えば、”Ｅｇｇ，  ｆｉｒｅｄ”（卵、フライ）、“Ｅｇｇ，  ｓｃｒａｍｂｌｅｄ”（卵、スクランブル）、”Ｆｉｓｈ  ｆｉｌｌｅｔｓ，  ｆｒｉｅｄ  （ｂｒｅａｄｅｄ）”(魚切身、フライ（パン粉付）)、”Ｆｉｓｈ  ｆｉｌｌｅｔｓ，  ｆｒｉｅｄ  （ｎａｔｕｒａｌ）”（魚切身、フライ（生））が表示される。なお、このアシストメニューには、高温温度センサ６Ｂでは検知できない温度帯域（例えば、７０度〜１４０度）で温度制御することが望まれるメニュー（例えば、”Ｅｇｇ，  ｂｏｉｌｉｎｇ”（卵、ボイル）、”Ｅｇｇ，  ｐｏａｃｈｉｎｇ”（卵、ポーチ））は含まれない。
【００５０】
本実施形態に係る誘導加熱調理器によれば、検知温度帯域が異なる複数の温度センサ６を用い、被加熱物３の下方に位置する温度センサ６を認識し、当該認識した温度センサ６に応じて操作部９に表示される加熱メニューを変えるように構成されている。この構成によれば、被加熱物３がトッププレート２上のいずれの位置に載置された場合であっても、当該被加熱物３の下方に位置する温度センサ６を認識して、当該温度センサ６に応じた加熱メニューを実行することが可能になる。従って、より使い勝手を向上させることができる。
【００５１】
なお、前記では、例えば図４〜６を用いて説明したように、加熱制御部８が、前記予め設定された情報として、アイコンＡ１を操作部９に表示し、アイコンＡ１が選択されたとき、低温温度センサ６Ａに応じて予め設定された加熱メニューを操作部９に表示するようにしたが、本発明はこれに限定されない。例えば、加熱制御部８は、前記予め設定された情報として、載置エリアを示すエリア識別情報に前記認識した温度センサ６を示すセンサ識別情報を付加して操作部９に表示するように構成されてもよい。
【００５２】
図１０は、被加熱物検知部７が検知した載置エリアがエリアＥ１及びＥ２であるときに操作部９に表示されるエリア識別情報としてのアイコンＡ１及びＡ２にセンサ識別情報を付加した表示例を示す図である。被加熱物検知部７が検知した載置エリアがエリアＥ１であるとき、加熱制御部８は、エリアＥ１の下方に位置する温度センサ６として、取付板５Ａ上の低温温度センサ６Ａを認識する。また、このとき、加熱制御部８は、エリア識別情報の一例として矩形のアイコンＡ１に、低温温度センサ６Ａを示すセンサ識別情報として“ｓｅｎｓｏｒ＋”を付加して操作部９に表示する。また、被加熱物検知部７が検知した載置エリアがエリアＥ２であるとき、加熱制御部８は、エリアＥ２の下方に位置する温度センサ６として、取付板５Ｃ上の高温温度センサ６Ｂを認識する。また、このとき、加熱制御部８は、エリア識別情報の一例であるアイコンＡ２に、高温温度センサ６Ｂを示すセンサ識別情報として“ｓｅｎｓｏｒ”を付加して操作部９に表示する。この構成によれば、使用者は、被加熱物３を載置した載置エリアの下方に位置する温度センサ６が、低温温度センサ６Ａであるのか、高温温度センサ６Ｂであるのかを目視で容易に確認することができる。それにより、使用者は、所望の加熱メニューに応じて被加熱物３を適切な位置に配置することができる。従って、より使い勝手を向上させることができる。
【００５３】
なお、前記構成において、エリアＥ１に載置した被加熱物３を加熱するために、アイコンＡ１が選択されたとき、低温温度センサ６Ａに応じて予め設定された加熱メニューを操作部９に表示してもよい（例えば、図６参照）。また、エリアＥ２に載置した被加熱物３を加熱するために、アイコンＡ２が選択されたとき、高温温度センサ６Ｂに応じて予め設定された加熱メニューを操作部９に表示してもよい（例えば、図９参照）。
【００５４】
なお、前記実施形態によれば、被加熱物３をトッププレート２上のいずれの位置にも載置できるため、被加熱物検知部７が検知した載置エリアの下方に位置する温度センサ６が、低温温度センサ６Ａと高温温度センサ６Ｂの両方であることが有り得る。この場合、加熱制御部８は、被加熱物検知部７が検知した載置エリアの下方に低温温度センサ６Ａと高温温度センサ６Ｂの両方が位置すると認識することになる。この場合、加熱制御部８は、例えば、高温温度センサ６Ｂによって検知可能なエリアの面積に対する低温温度センサ６Ａによって検知可能なエリアの面積の割合に基づいて、高温温度センサ６Ｂ又は低温温度センサ６Ａのいずれか一方を載置エリアの下方に位置する温度センサとして認識してもよい。また、加熱制御部８は、例えば、低温温度センサ６Ａによって検知可能なエリアの面積の大きさに基づいて、高温温度センサ６Ｂ又は低温温度センサ６Ａのいずれか一方を載置エリアの下方に位置する温度センサとして認識してもよい。加熱制御部８は、当該認識した温度センサ６に応じて予め設定された情報を操作部９に表示すればよい。
【００５５】
また、前記では、図５、図８、図１０に示すように、「エリア識別情報」をアイコンＡ１，Ａ２として操作部９に表示したが、本発明はこれに限定されない。例えば、「エリア識別情報」を文字情報として操作部９に表示してもよい。また、図１０に示すように、「センサ識別情報」を文字情報として操作部９に表示したが、本発明はこれに限定されない。例えば、「センサ識別情報」をアイコンとして操作部９に表示してもよい。
【００５６】
なお、前記実施形態によれば、加熱制御部８がエリア識別情報の一例としてアイコンＡ２を操作部９に表示するので、使用者は、被加熱物３が載置されている載置エリアを被加熱物検知部７が適切に検知しているかを目視で容易に確認することができる。なお、このとき、被加熱物検知部７が載置エリアを適切に検知していないことが有り得る。このため、操作部９は、エリア識別情報を手動で変更可能に構成されることが好ましい。これにより、使用者は、被加熱物検知部７が検知した載置エリアを適切な載置エリアに修正することができる。従って、より使い勝手を向上させることができる。
【００５７】
また、前記では、複数の温度センサ６には、互いに検知温度帯域が異なる低温温度センサ６ａと高温温度センサ６Ｂとが含まれるものとしたが、本発明はこれに限定されない。例えば、複数の温度センサ６には、検知温度帯域ではなく、検知速度や検知領域が異なる温度センサが含まれてもよい。すなわち、複数の温度センサ６は、互いに特性が異なる温度センサであってもよい。
【００５８】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【００５９】
本発明に係る誘導加熱調理器によれば、より使い勝手を向上させることができるので、特に、より面積が大きいトッププレートを有するビルトインタイプや据置タイプの誘導加熱調理器に有用である。
【符号の説明】
【００６０】
１    筐体
２    トッププレート
２Ａ  操作窓部
３    被加熱物
４    加熱コイル
５Ａ〜５Ｃ  取付板
６    温度センサ
６Ａ  低温温度センサ
６Ｂ  高温温度センサ
７    被加熱物検知部
８    加熱制御部
９    操作部
９Ａ  載置状況表示エリア
【図１】
2018037235.tif 000003
【図２】
2018037235.tif 000004
【図３】
2018037235.tif 000005
【図４】
2018037235.tif 000006
【図５】
2018037235.tif 000007
【図６】
2018037235.tif 000008
【図７】
2018037235.tif 000009
【図８】
2018037235.tif 000010
【図９】
2018037235.tif 000011
【図１０】
2018037235.tif 000012